(57)【特許請求の範囲】
【請求項１】
炊飯器本体、内釜及び蓋を含む２つ内釜を有する新規な炊飯器であって、
内釜と蓋はそれぞれ２つあり、炊飯器本体は内釜の形状と大きさに対応する２つの第１収容室を含み、
２つの第１収容室は熱遮断板により互いに分離され、２つの第１収容室は内釜をそれぞれ収容するための２つの収容室口を有し、
２つの蓋の後端はそれぞれヒンジ接続軸を通じて収容室口の側辺にヒンジ接続され、２つのヒンジ接続軸の軸方向は互いに交叉しており、
２つの蓋がヒンジ接続軸により回転して収容室口を閉じるとき、２つの蓋の互いに隣接するエッジの間は同じ間隔の隙間を形成し、２つの蓋がヒンジ接続軸により回転して収容室口から離れるとき、２つの蓋は逆“八”字形を形成しており、
蓋の底部には内釜の上端を収容するための第２収容室が設けられ、該第２収容室の壁部には係止溝が設けられ、該第２収容室内には取り外し可能に密閉部材が固定され、該密閉部材の周縁には係止溝に係合するための突起が横方向に突出しており、
２つの蓋に対応する２つの密閉部材の突起は炊飯器本体を中心に対称になっている、ことを特徴とする２つ内釜を有する新規な炊飯器。
【請求項２】
蓋は上蓋と下蓋を含み、上蓋の底部には第２収容室が設けられ、下蓋はリング状になり、該下蓋は上蓋の底部に固定され、該下蓋の外周は第２収容室の内壁により押し付けられており、
ヒンジ接続軸は上蓋の後端に枢着され、該上蓋は該ヒンジ接続軸に近接する内側コーナー部と、該ヒンジ接続軸から離れている外側コーナー部を含み、外側コーナー部には磁気部材が設けられ、外側コーナー部に対向する下蓋には磁性により磁気部材に吸着される磁性部材が設けられ、内側コーナー部に対向する下蓋には敷き部が突出し、該敷き部は内側コーナー部に当接する、ことを特徴とする請求項１に記載の２つ内釜を有する新規な炊飯器。
【請求項３】
前記下蓋の中央部には内蓋が固定され、該内蓋は下蓋のリングエッジ部を覆う、ことを特徴とする請求項２に記載の２つ内釜を有する新規な炊飯器。
【請求項４】
炊飯器本体の頂端にはボタンが可動に設けられ、該ボタンはヒンジ接続軸に対向し、該ボタンは押圧部と押圧部の底端から延伸する係合部を含み、蓋の前端には係合部に掛け合う掛合部が設けられており、
２つのヒンジ接続軸にはそれぞれねじりバネが被覆され、ねじりバネの一端は炊飯器本体に固定接続され、ねじりバネの他端にはそれぞれ２つの蓋が固定接続される、ことを特徴とする請求項３に記載の２つ内釜を有する新規な炊飯器。
【請求項５】
２つの蓋の上蓋の内側コーナー部は互いに隣接し、２つの蓋の上蓋の外側コーナー部は互いに離れており、前記ボタンは炊飯器本体の正面の頂部中央に位置し、掛合部は上蓋に位置し、２つの蓋の上蓋のそれぞれは掛合部を通じてボタンの係合部に係合する、ことを特徴とする請求項４に記載の２つ内釜を有する新規な炊飯器。
【請求項６】
前記押圧部は２つあり、互いに隣接し、かつ独立し、２つの押圧部は炊飯器本体の長手方向に沿って延伸する長尺状をしている、ことを特徴とする請求項５に記載の２つ内釜を有する新規な炊飯器。
【請求項７】
各蓋のエッジは円弧状エッジと直線状エッジが接続しており、２つの蓋はヒンジ接続軸により回転して収容室口を閉じるとき、２つの蓋の直線状エッジが隣接する、ことを特徴とする請求項６に記載の２つ内釜を有する新規な炊飯器。
【請求項８】
前記炊飯器本体の後端のエッジ部には２つの凸台が設けられ、２つの前記ヒンジ接続軸はそれぞれ凸台内に回転可能に設けられ、ヒンジ接続軸の両端は蓋の後端を貫通して接続する、ことを特徴とする請求項７に記載の２つ内釜を有する新規な炊飯器。
【請求項９】
密閉部材は上から下へ積層される固定リング、密閉蓋、内釜の開口を密閉するための密閉リングを含み、固定リングと密閉リングは密閉蓋の外周を被覆し、前記突起は固定リングの外側面に突出し、密閉蓋の形状と大きさは内釜の開口に対応し、密閉リングは円錐状リングであり、前記密閉蓋の周縁は下蓋に係合する、ことを特徴とする請求項１〜請求項８のいずれか一項に記載の２つ内釜を有する新規な炊飯器。
【請求項１０】
上蓋の底部には下へ向かって位置決め柱が延伸し、該位置決め柱の下端は係合部に設けられ、前記密閉蓋の中央部には係合部に係合する係合カバーが設けられ、係合部は係合カバー内に挿入される、ことを特徴とする請求項９に記載の２つ内釜を有する新規な炊飯器。
【発明の詳細な説明】
【技術分野】
【０００１】
本発明は炊飯器に関し、特に２つ内釜を有する新規な炊飯器に関する。
【背景技術】
【０００２】
炊飯器は、蒸す、茹でる、煮る、煮込む、とろ火で煮込む等の様々な調理加工が可能な現代的な調理器具である。通常、炊飯器は、炊飯器本体、内釜及び蓋を含み、炊飯器本体は内釜を収容するための第１収容室を有し、蓋は第１収容室の収容室口を閉じて密閉する。
【０００３】
現在、炊飯器は１つのみの内釜を有しており、２つの内釜を有する状況もあるが、異なる食物の調理による匂いが移るのを防止するためである。しかしながら、炊飯器本体の第１収容室は１つのみであり、一回で１つのみの内釜を使用し、大量の食物の調理を行う場合、複数の炊飯器が必要となって、厨房で多くの空間を占有し、各炊飯器もそれぞれ操作する必要があるため、使用が不便になっている。
【０００４】
同時に、蓋は密閉部材と合わせて内釜を密閉する必要があるため、内釜内に置かれた食物は有効な密閉状態で加熱されている。しかし、従来の炊飯器における密閉部材は取り付け操作が不便で、洗浄しにくい。
【０００５】
さらに、現在の炊飯器の蓋は、熱及び蒸気を受けると変形しやすくなり、蓋の内外側コーナー部が上へ曲がり、第１収容室の密閉性能を低下させている。
【発明の概要】
【発明が解決しようとする課題】
【０００６】
従来技術の欠陥を克服するため、本発明の目的は、蓋の開け操作が容易で、密閉部材の着脱が容易であるものであって、蓋が良好な密封効果を奏することができる２つ内釜を有する新規な炊飯器を提供することである。
【課題を解決するための手段】
【０００７】
２つ内釜を有する新規な炊飯器であって、炊飯器本体、内釜及び蓋を含む。内釜と蓋はそれぞれ２つあり、炊飯器本体は内釜の形状と大きさに対応する２つの第１収容室を含み、２つの第１収容室は熱遮断板により互いに分離され、２つの第１収容室は内釜をそれぞれ収容するための２つの収容室口を有する。２つの蓋の後端はそれぞれヒンジ接続軸を通じて収容室口の側辺にヒンジ接続され、２つのヒンジ接続軸の軸方向は互いに交叉する。２つの蓋がヒンジ接続軸により回転して収容室口を閉じるとき、２つの蓋の互いに隣接するエッジの間は同じ間隔の隙間を形成し、２つの蓋がヒンジ接続軸により回転して収容室口から離れるとき、２つの蓋は逆“八”字形を形成する。蓋の底部には内釜の上端を収容するための第２収容室が設けられ、該第２収容室の壁部には係止溝が設けられ、該第２収容室内には取り外し可能に密閉部材が固定され、該密閉部材の周縁には係止溝に係合するための突起が横方向に突出している。２つの蓋に対応する２つの密閉部材の突起は炊飯器本体を中心に対称になっている。
【０００８】
好ましくは、蓋は上蓋と下蓋を含み、上蓋の底部には第２収容室が設けられ、下蓋はリング状になり、該下蓋は上蓋の底部に固定され、該下蓋の外周は第２収容室の内壁により押し付けられている。ヒンジ接続軸は上蓋の後端に枢着され、該上蓋は該ヒンジ接続軸に近接する内側コーナー部と、該ヒンジ接続軸から離れている外側コーナー部を含む。外側コーナー部には磁気部材が設けられ、外側コーナー部に対向する下蓋には磁性により磁気部材に吸着する磁性部材が設けられ、内側コーナー部に対向する下蓋には敷き部が突出し、該敷き部は内側コーナー部に当接する。
【０００９】
好ましくは、前記下蓋の中央部には内蓋が固定され、該内蓋は下蓋のリングエッジ部を覆う。
【００１０】
好ましくは、炊飯器本体の頂端にはボタンが可動に設けられ、該ボタンはヒンジ接続軸に対向し、該ボタンは押圧部と押圧部の底端から延伸する係合部を含み、蓋の前端には係合部に掛け合う掛合部が設けられている。２つのヒンジ接続軸にはそれぞれねじりバネが被覆され、ねじりバネの一端は、炊飯器本体に固定接続され、ねじりバネの他端にはそれぞれ２つの蓋が固定接続される。
【００１１】
好ましくは、２つの蓋の上蓋の内側コーナー部は互いに隣接し、２つの蓋の上蓋の外側コーナー部は互いに離れている。前記ボタンは、炊飯器本体の正面の頂部中央に位置し、掛合部は上蓋に位置し、２つの蓋の上蓋のそれぞれは掛合部を通じてボタンの係合部に係合する。
【００１２】
好ましくは、前記押圧部は２つあり、互いに隣接し、かつ独立し、２つの押圧部は炊飯器本体の長手方向に沿って延伸する長尺状をしている。
【００１３】
好ましくは、各蓋のエッジは、円弧状エッジと直線状エッジが接続しており、２つの蓋はヒンジ接続軸により回転して収容室口を閉じるとき、２つの蓋の直線状エッジが隣接する。
【００１４】
好ましくは、前記炊飯器本体の後端のエッジ部には２つの凸台が設けられ、２つの前記ヒンジ接続軸はそれぞれ凸台内に回転可能に設けられ、ヒンジ接続軸の両端は蓋の後端を貫通して接続する。
【００１５】
好ましくは、密閉部材は上から下へ積層される固定リング、密閉蓋、内釜の開口を密閉するための密閉リングを含む。固定リングと密閉リングは密閉蓋の外周を被覆し、前記突起は固定リングの外側面に突出し、密閉蓋の形状と大きさは内釜の開口に対応し、密閉リングは円錐状リングであり、前記密閉蓋の周縁は下蓋に係合する。
【００１６】
好ましくは、上蓋の底部には下へ向かって位置決め柱が延伸し、該位置決め柱の下端は係合部に設けられ、前記密閉蓋の中央部には係合部に係合する係合カバーが設けられ、係合部は係合カバー内に挿入される。
【発明の効果】
【００１７】
（１）本発明は、交叉して設けられているヒンジ接続軸を通じて、２つの蓋の開閉が互いに干渉されないため、蓋の開け操作が簡単で、開けやすくなり、同時に閉じられるとき、所定の隙間のみを残せばよく、２つの内釜が独立して隔離されることを保証する。それぞれの調理が影響されないように維持することを前提として、炊飯器本体の体積を最大限に小さくして、厨房における占用空間を低減させることができる。それと同時に、炊飯器本体には２つの内釜を収容するための２つの第１収容室が設けられ、２つの第１収容室は熱遮断板を通じて熱の遮断が可能に隔離されて、２つの内釜が独立して加熱作動を行うことを保持する。これにより、２つの内釜を用いて同時に調理し、調理効率を高めている。２つの密閉部材を交換して取り付けられる問題を防止するため、突起と係止溝の係合、及び２つの突起を対称に設けることで、密閉部材を交換して取付けられることを防止し、これにより、密閉部材を洗った後に即時に取付けて、良好な密閉効果を保証し、使用が非常に容易になり、誤って取付けることによるリスクを回避する。
（２）本発明は、下蓋が第２収容室を押し付けることにより、上蓋の強度を増加して、蓋の全体が熱を受けても変形しにくくなる。主なポイントとしては、磁性部材と磁気部材の吸着作用で、ヒンジ接続軸から離れる外側コーナー部で上蓋を堅固に吸着し、敷き部で上蓋に対する押し付け係止作用で、内側コーナー部を堅固に係合することができる。それにより、上蓋と下蓋により形成される蓋の全体の剛性が更に強くなって、上へ曲がる変形を防止し、更に第１収容室に対する密閉蓋の係合を保持する。
【図面の簡単な説明】
【００１８】
【図１】図１は、本発明の２つ内釜を有する新規な炊飯器の構造模式図である。
【図２】図２は、図１において、蓋を取り外した後の構造模式図である。
【図３】図３は、本発明の炊飯器本体の構造模式図である。
【図４】図４は、図２の立体分解図である。
【図５】図５は、本発明の蓋の下から観察したときの構造模式図である。
【図６】図６は、本発明の下蓋の構造模式図である。
【図７】図７は、本発明の実施形態の密閉部材の構造模式図である。
【図８】図８は、本発明の他の実施形態の密閉部材の構造模式図である。
【発明を実施するための形態】
【００１９】
以下、図面と具体的実施形態を合わせて本発明を詳細に説明する。
図１〜図５に示すように、２つ内釜を有する新規な炊飯器は、炊飯器本体１、内釜２及び蓋３を含み、内釜２及び蓋３はそれぞれ２つある。炊飯器本体１は内釜２の形状と大きさに対応する２つの第１収容室１１を含み、２つの第１収容室１１は熱遮断板９により互いに分離されている。２つの第１収容室１１は内釜２をそれぞれ収容するための２つの収容室口１１１を有する。２つの蓋３の後端はそれぞれヒンジ接続軸７を通じて収容室口１１１の側辺にヒンジ接続され、２つのヒンジ接続軸７の軸方向は交叉する。２つの蓋３がヒンジ接続軸７により回転して収容室口１１１を閉じるとき、２つの蓋３の互いに隣接するエッジの間は同じ間隔の隙間７を形成し、２つの蓋３がヒンジ接続軸７により回転して収容室口１１１から離れるとき、２つの蓋３は逆“八”字形を形成する。蓋３の底部には内釜２の上端を収容するための第２収容室３１１が設けられ、該第２収容室３１１の壁部には係止溝３１３が設けられる。該第２収容室３１１内には取り外し可能に密閉部材４が固定され、該密閉部材４の周縁には係止溝３１３に係合するための突起４０１が横方向に突出している。２つの蓋３に対応する２つの密閉部材４の突起４０１は炊飯器本体１を中心に対称になっている。
【００２０】
交叉して設けられているヒンジ接続軸７を通じて、２つの蓋３の開閉過程は互いに干渉されないため、蓋の開け操作が簡単で、開けやすくなり、同時に蓋を閉じるとき、所定の隙間７のみを残せばよく、該隙間７は非常に小さく設けられることで、２つの内釜２が独立して隔離されることを保証し、それぞれの調理が影響されないように維持することを前提として、炊飯器本体１の体積を最大限に小さくして、厨房における占用空間を低減させることができる。それと同時に、炊飯器本体１には２つの内釜２を収容するための２つの第１収容室１１が設けられ、２つの第１収容室１１は熱遮断板９を通じて熱の遮断が可能に隔離され、２つの内釜２が独立して加熱作動を行うことを保持する。これにより、２つの内釜２を用いて同時に調理し、調理効率が高くなる。２つの密閉部材４が交換して取付けられることを防止するため、突起４０１と係止溝３１３の係合、及び２つの突起４０１を対称に設けることで、密閉部材４が交換して取付けられることを防止する。これにより、密閉部材４を洗った後に即時に取付けて、良好な密閉効果を保証し、使用が非常に容易になり、誤って取付けることによるリスクを回避する。
【００２１】
当然のことながら、２つの内釜２を更に容易に区分し、更に取替えされることを防止するため、内釜２を炊飯器本体１を中心に対称になるように配置し、かつ内釜２は非正多角形又は非円形に設けられている。
【００２２】
他の好ましい実施形態において、図５〜図６に示すように、着脱と洗浄を容易にし、かつ蓋３が熱により変形して上へ曲がることを防止するため、蓋３は上蓋３１と下蓋３２を含む。上蓋３１の底部には第２収容室３１１が設けられ、下蓋３２はリング状になっている。該下蓋３２は上蓋３１の底部に固定され、かつ該下蓋３２の外周は第２収容室３１１の内壁により押し付けられている。ヒンジ接続軸７は上蓋３１の後端に枢着され、該上蓋３１は該ヒンジ接続軸３１２に近接する内側コーナー部３１６と該ヒンジ接続軸３１２から離れる外側コーナー部３１７を含む。外側コーナー部３１７には磁気部材（図示せず）が設けられ、外側コーナー部３１７に対向する下蓋３２には磁性により磁気部材に吸着される磁性部材３２１が設けられ、内側コーナー部３１６に対向する下蓋３２には敷き部３２２が突出し、該敷き部３２２は内側コーナー部３１６に当接する。
【００２３】
下蓋３２が第２収容室３１１を押し付けることにより、上蓋３１の強度を増加し、これにより、蓋３の全体が熱を受けても変形しにくくなり、かつ主なポイントとしては、磁性部材３２１と磁気部材の吸着作用で、ヒンジ接続軸３１２から離れる外側コーナー部３１７で上蓋３１を堅固に吸着し、敷き部３２２で上蓋３１に対する押し付け係止作用により、内側コーナー部３１６を堅固に係合することができ、それにより、上蓋３１と下蓋３２により形成される蓋３の全体の剛性が更に強くなって、上へ曲がって変形することを防止し、更に第１収容室１１に対する密閉蓋４２の係合を保持する。
【００２４】
好ましくは、図５に示すように、更に剛性を増加して、蓋３が熱により変形して上へ曲がることを防止するため、前記下蓋３２の中央部には内蓋５が設けられ、該内蓋５は下蓋３２のリングエッジ部を覆っている。
【００２５】
２つの蓋３の開閉を更に容易にさせるために、図３、図５に示すように、炊飯器本体１の頂端にはボタン６が可動に設けられている。該ボタン６はヒンジ接続軸７に対向し、該ボタン６は押圧部６１と押圧部６１の底端から延伸する係合部６２を含み、蓋３の前端には係合部６２に掛け合う掛合部３３が設けられている。２つのヒンジ接続軸７にはそれぞれねじりバネ８が被覆され、ねじりバネ８の一端は炊飯器本体１に固定接続され、ねじりバネ８の他端にはそれぞれ２つの蓋３が固定接続される。押圧部６１を押圧した後、係合部６２は掛合部３３と離脱し、同時にねじりバネ８の弾力作用で、蓋３が自動で開くことで、蓋の開閉操作がしやすくなる。
【００２６】
本発明の炊飯器の１つ実施形態において、図５に示すように、２つの蓋３の上蓋３１の内側コーナー部３１６は互いに隣接し、２つの蓋３の上蓋３１の外側コーナー部３１７は互いに離れている。前記ボタン６は炊飯器本体１の正面の頂部中央に位置して、押圧しやすくなり、掛合部３３は上蓋３１に位置し、２つの蓋３の上蓋３１のそれぞれは掛合部３３を通じてボタン６の係合部６２に係合する。
【００２７】
２つの蓋３の開閉をそれぞれ制御するために、図３に示すように、前記押圧部６１は２つが互いに隣接し、かつ独立し、２つの押圧部６１は炊飯器本体１の長手方向に沿って延伸する長尺状をしている。長尺状で互いに隣接する２つの押圧部６１は、最大限に操作領域を集中しているため、押圧操作がしやすくなり、同時に長尺状になっているため接触かつ押圧しやすい。
【００２８】
２つの蓋３が更によく収容室口１１１上に収容され、更に２つの蓋３の互いの干渉を防止するため、図５に示すように、各蓋３のエッジは円弧状エッジ３４と直線状エッジ３５が接続しており、２つの蓋３はヒンジ接続軸７により回転して収容室口１１１を閉じるとき、２つの蓋３の直線状エッジ３５が隣接して、同じ間隔を有する隙間７を形成する。
【００２９】
図２に示すように、蓋３のために安定的なヒンジ接続を提供することを前提として、前記炊飯器本体１の後端のエッジ部には２つの凸台１２が設けられ、２つの前記ヒンジ接続軸７はそれぞれ凸台１２内に回転可能に設けられ、ヒンジ接続軸７の両端は蓋３の後端を貫通して接続される。
【００３０】
図７及び図８に示すように、本実施例の密閉部材４は上から下へ積層される固定リング４１、密閉蓋４２、内釜２の開口を密閉するための密閉リング４３を含み、固定リング４１と密閉リング４３は密閉蓋４２の外周を被覆し、前記突起４０１は固定リング４１の外側面に突出し、密閉蓋４２の形状と大きさは内釜２の開口に対応し、密閉リング４３は円錐状リングであり、前記密閉蓋４２の周縁は下蓋３２に係合する。固定リング４１は密閉リング４３と密閉蓋４２の強度を増加して、蓋３との連結を容易にさせ、密閉リング４３が円錐状に設置されることで、内釜２の開口との密閉が更に効果的となる。
【００３１】
図５、図７、図８に示すように、更に容易に洗浄するために、上蓋３１の底部には下へ向かって位置決め柱３１４が延伸し、該位置決め柱３１４の下端は係合部３１５に設けられ、前記密閉蓋４２の中央部には係合部３１５に係合する係合カバー４２１が設けられ、係合部３１５は係合カバー４２１内に挿入される。係合部３１５が係合カバー４２１に位置を合わせて挿入されることで、密閉部材４は蓋３に素早く位置を合わせて装着しやすくなる。
【００３２】
当業者にとって、上述した技術手段と思想に基づいて、他の様々な相応の変更と変形を行うことができるが、全てのこのような変更と変形は本発明の特許請求の保護範囲内に属するべきである。
【００３３】
１、炊飯器本体
１１、第１収容室
１１１、収容室口
１２、凸台
２、内釜
３、蓋
３１、上蓋
３１１、第２収容室
３１２、ヒンジ接続軸
３１３、係止溝
３１４、位置決め柱
３１５、係合部
３１６、内側コーナー部
３１７、外側コーナー部
３２、下蓋
３２１、磁性部材
３２２、敷き部
３３、掛合フック
３４、円弧状エッジ
３５、直線状エッジ
４、密閉部材
４０１、突起
４１、固定リング
４２、密閉蓋
４２１、係合カバー
４３、密閉リング
５、内蓋
６、ボタン
６１、押圧部
６２、係合部
７、隙間
８、ねじりバネ
９、熱遮断板
【図１】
0006419387.tif 000002
【図２】
0006419387.tif 000003
【図３】
0006419387.tif 000004
【図４】
0006419387.tif 000005
【図５】
0006419387.tif 000006
【図６】
0006419387.tif 000007
【図７】
0006419387.tif 000008
【図８】
0006419387.tif 000009